(57)【要約】【課題】比較的簡単な構造で構成し、楔材が予期しない荷重によって係止金具から外れないようにする抜け防止取付け金具を提供する。【解決手段】管材１３の端部に設けられ、土木又は建築現場で使用される仮設柱１１の側部に設けられた断面コ字状の係止金具１２に装着する抜け防止取付け金具１０であって、係止金具１２が嵌入する側面視してコ字状の切欠き２１を、前側中央に備える角筒材１４と、係止金具１２に装着状態の角筒材１４と係止金具１２の隙間に上から嵌入し、中央には長尺の貫通孔２６が設けられた楔材１５とを有し、角筒材１４の上部には貫通孔２６に遊嵌して、楔材１５の脱落を防止する保持金具１６が設けられている。【選択図】図１
2017053094.tif 000002
【特許請求の範囲】
【請求項１】
管材の端部に設けられ、土木又は建築現場で使用される仮設柱の側部に設けられた断面コ字状の係止金具に装着する抜け防止取付け金具であって、
前記係止金具が嵌入する側面視してコ字状の切欠きを、前側中央に備える角筒材と、前記係止金具に装着状態の前記角筒材と前記係止金具との隙間に上から嵌入して中央には長尺の貫通孔が設けられた楔材とを有し、前記角筒材の上部には前記貫通孔に遊嵌して、前記楔材の脱落を防止する保持金具が設けられていることを特徴とする抜け防止取付け金具。
【請求項２】
請求項１記載の抜け防止取付け金具において、前記角筒材の切欠きは、その前側上部に前記係止金具の上部に一部嵌入する突出部を有していることを特徴とする抜け防止取付け金具。
【請求項３】
請求項１又は２記載の抜け防止取付け金具において、前記保持金具は前記角筒材の上部を前後に跨がって設けられていることを特徴とする抜け防止取付け金具。
【請求項４】
請求項１〜３のいずれか１記載の抜け防止取付け金具において、前記楔材は下部が後ろ側に曲がって「く」字状となっていることを特徴とする抜け防止取付け金具。
【発明の詳細な説明】
【技術分野】
【０００１】
本発明は、土木又は建築現場で使用されるパイプ材等からなる仮設柱の側部（通常は周囲に２段交互）に設けられた断面コ字状の係止金具に、例えば、水平材となる管材の一端を固定する抜け防止取付け金具に関する。
【背景技術】
【０００２】
土木又は建築現場では高度位置での作業を行うために、仮設架台が設けられている。この仮設架台は、例えば、図４に示すように、パイプ材からなる支柱７０の側部に、上方に向けて断面積が徐々に広くなって、両側板７７、７８は平行となった断面コ字状の係止金具７１を複数取付け、この係止金具７１に管材７２の端部に設けられた楔金具７３を装着している（特許文献１参照）。
【０００３】
そして、この楔金具７３を係止金具７１に装着する場合、楔金具７３を係止金具７１にその楔部分（テーパー部）７４を上から装入した後、作業員がハンマーで、楔金具７３の楔部分７４を容易に抜けない程度に係止金具７１に叩き込んでいた。なお、係止金具７１は前述のように、両側にある側板７７、７８が平行となって、表板７９は支柱７０に対して上方に開く楔孔状となっている。
また、特許文献２には、多少の衝撃によって係止金具に差し込んだ金具が不用意に抜けないようにした仮設用結合金具も提案されている。
【先行技術文献】
【特許文献】
【０００４】
【特許文献１】特開２０１０−２７５７７０号公報
【特許文献２】特開２００４−３２４３５３号公報
【発明の概要】
【発明が解決しようとする課題】
【０００５】
しかしながら、特許文献１記載の楔金具７３は、係止金具７１に楔部分７４を装着するのみであるので、予期しない荷重（例えば、下からの突き上げ荷重）によって楔部分７４が外れる可能性もある。
また、特許文献２に記載の仮設用連結金具においては、楔を水平状態から起立状態に回動させるために、仮設要素（手摺り、筋交い）を折り曲げ可能とする必要があり、取付け工事がし難いという問題があった。
【０００６】
本発明はかかる事情に鑑みてなされたもので、比較的簡単な構造で構成し、楔材が予期しない荷重によって、係止金具から外れないようにする抜け防止取付け金具を提供することを目的とする。
【課題を解決するための手段】
【０００７】
前記目的に沿う本発明に係る抜け防止取付け金具は、管材の端部に設けられ、土木又は建築現場で使用される仮設柱の側部に設けられた断面コ字状の係止金具に装着する抜け防止取付け金具であって、
前記係止金具が嵌入する側面視してコ字状の切欠きを、前側中央に備える角筒材と、前記係止金具に装着状態の前記角筒材と前記係止金具との隙間に上から嵌入して中央には長尺の貫通孔が設けられた楔材とを有し、前記角筒材の上部には前記貫通孔に遊嵌して、前記楔材の脱落を防止する保持金具が設けられている。
【０００８】
本発明に係る抜け防止取付け金具において、前記角筒材の切欠きは、その前側上部に前記係止金具の上部に一部嵌入する突出部を有しているのが好ましい。
【０００９】
また、本発明に係る抜け防止取付け金具において、前記保持金具は前記角筒材の上部を前後に跨がって設けられているのが好ましい。
【００１０】
そして、本発明に係る抜け防止取付け金具において、前記楔材は下部が後ろ側に曲がって「く」字状となっているのが好ましい。
【発明の効果】
【００１１】
本発明に係る抜け防止取付け金具において、係止金具が嵌入する側面視してコ字状の切欠きを、前側中央に備える角筒材と、係止金具に装着状態の角筒材と係止金具との隙間に上から嵌入して中央には長尺の貫通孔が設けられた楔材とを有しているので、この抜け防止取付け金具を仮設柱の側部に設けられた係止金具に接続する場合は、まず角筒材の側面視してコ字状の切欠き（コ字状部）を側方（即ち、後ろから前方向）に向けて係止金具に装着し、楔材を上から角筒部と係止金具の隙間に嵌入するようにする。これによって、角筒材が係止金具に固定される。
【００１２】
そして、角筒材の上部には貫通孔に遊嵌して楔材の脱落を防止する保持金具が設けられているので、楔材の抜け落ち（紛失）が防止される。特に、保持金具が角筒材の上部を前後に跨がって設けられている場合は、楔材が垂直方向に規制されて抜け難い。
【００１３】
また、角筒材の切欠きの前側上部に係止金具の上部に一部嵌入する突出部を有している場合は、角筒材と係止金具の位置決めが容易にできる。
【００１４】
本発明に係る抜け防止取付け金具において、楔材の下部が後ろ側に曲がって「く」字状となっている場合は、楔材の挿入が容易となる。
【図面の簡単な説明】
【００１５】
【図１】（Ａ）、（Ｂ）はそれぞれ本発明の一実施の形態に係る抜け防止取付け金具の使用状態の斜視図である。
【図２】（Ａ）〜（Ｃ）はそれぞれ同抜け防止取付け金具を係止金具に取付ける直前の平面図、側面図、正面図である。
【図３】（Ａ）〜（Ｄ）はそれぞれ同抜け防止取付け金具の平面図、斜視図、側面図、正面図である。
【図４】従来例に係る抜け防止取付け機構の説明図である。
【発明を実施するための形態】
【００１６】
続いて、添付した図面を参照しながら、本発明を具体化した実施の形態について説明する。
図１〜図３に示すように、本発明の一実施の形態に係る抜け防止取付け金具１０は、鋼材（ステンレス鋼も含む）からなり、土木又は建築現場で使用される仮設柱（管材）１１の側部に設けられた断面コ字状の係止金具１２の一つに装着するものであって、それぞれ鋼材から形成され、管材（通常水平材、傾斜材もある）１３の端部に設けられた角筒材１４と、角筒材１４の中に嵌入可能な楔材１５と、角筒材１４の上部に設けられ、楔材１５を保持する保持金具１６とを有している。なお、係止金具１２は通常、仮設柱１１の０度と１８０度位置の同一高さ位置ｈ１と、ｈ１と異なる高さ位置ｈ２の９０度と２７０度位置に設けられている。以下、抜け防止取付け金具１０について更に詳しく説明する。
【００１７】
図２（Ａ）〜（Ｃ）、図３（Ａ）〜（Ｄ）に示すように、角筒材１４は、平面視して正四角形（即ち、角が丸みを有する長方形）となって、係止金具１２の幅と同一の間隔で配置された側板部１７、１８と、側板部１７、１８を連接する前板部１９及び後ろ板部２０とを有している。前板部１９及び側板部１７、１８の前側中央には切欠き２１が形成され、切欠き２１内に係止金具１２が少しの隙間を有して嵌入し、係止金具１２の上に切欠き２１が載置される。側面視してコ字状の切欠き２１の溝底辺２２の傾斜角度は、係止金具１２の突出片１２ａの傾斜角度と同一となっている。
【００１８】
角筒材１４の前側（即ち、切欠き２１の前側上部）には係止金具１２の上部に一部嵌入する突出部２３（１〜３ｍｍの突出長さが好ましい）を有し、角筒材１４の切欠き２１に係止金具１２を入れた場合、角筒材１４が横移動しないようになっている。
角筒材１４の後ろ板部２０の中央にはＬ字状の折り曲げ部２０ａ、２１ａが形成され、その先部は斜面となって係止金具１２の突出片１２ａに当接可能となっている。
【００１９】
図１（Ａ）、図３（Ａ）〜（Ｄ）に示すように、抜け防止取付け金具１０は、係止金具１２に装着された角筒材１４（厳密には角筒材１４の前板部１９）と係止金具１２との隙間に上から嵌入し、中央には長尺の貫通孔２６が設けられた楔材１５を有している。この楔材１５は角筒材１４に隙間を有して嵌入し、下方に薄くなって、しかも、下部が後ろ側に曲がった「く」字状部２７を有している。そして、係止金具１２と角筒材１４の両方に挿通し、楔材１５が下方に下がって係止金具１２と角筒材１４を締結するようになっている。
【００２０】
角筒材１４の上部を前後に跨がって設けれた保持金具１６は、楔材１５の貫通孔２６に隙間を有して設けられ（遊嵌して）、楔材１５の脱落を防止すると共に、楔材１５が図１（Ｂ）に示す水平状態から、図１（Ａ）に示す垂直状態にその角度及び位置を円滑に変えることができるようになっている。保持金具１６はＬ字状又はコ字状となってその両端が前板部１９及び後ろ板部２０の上端に溶接固定又は一体構造となっている。保持金具１６の脚部２９の長さは、楔材１５の厚みより十分厚くなっている。
【００２１】
従って、この抜け防止取付け金具１０を使用する場合は、管材１３を所定角度（この実施の形態では水平状態）に保持して、この抜け防止取付け金具１０の切欠き２１を所定の係止金具１２に装着する。この場合、切欠き２１の奥側上部には係止溝２８が設けられているので、係止金具１２が切欠き２１に奥側まで嵌入するようになっている。このとき、楔材１５は図１（Ｂ）、図２（Ａ）〜（Ｃ）に示すように、角筒材１４から抜けた状態であり、保持金具１６が貫通孔２６の一方（図２（Ａ）では左端）にあり、略水平状態となっている。
【００２２】
次に、図１のように水平状態となった楔材１５を立てて、楔材１５を係止金具１２と角筒材１４の隙間に嵌入して、最後はハンマー等で楔材１５の頭部を叩き、楔材１５の下端を角筒材１４の下端から突出させ、抜け防止取付け金具１０を強固に係止金具１２に固定する。この状態では、楔材１４の下部が後ろ側に「く」字状に曲がっているので、楔材１５が容易に抜けない。
抜け防止取付け金具１０を係止金具１２から外す場合は、楔材１５の下端をハンマー等で上方に叩くことになる。
【００２３】
本発明は前記した実施の形態に限定されるものではなく、本発明の要旨を変更しない範囲でその構成を変更することもできる。
また、折り曲げ部２０ａ、２０ｂを設けないで、直接角筒材の後ろ板部に係止金具が接する構成とすることもできる。
前記実施の形態においては、管材１３の長さは省略して記載されているが、通常は管材１３の両端にこの抜け防止取付け金具１０を備えるので、例えば、管材１３の直径は４８．６ｍｍで、管材１３の長さは例えば、１．７〜１．９ｍである。
【符号の説明】
【００２４】
１０：抜け防止取付け金具、１１：仮設柱、１２：係止金具、１２ａ：突出片、１３：管材、１４：角筒材、１５：楔材、１６：保持金具、１７、１８：側板部、１９：前板部、２０：後ろ板部、２０ａ、２０ｂ：折り曲げ部、２１：切欠き、２２：溝底辺、２３：突出部、２６：貫通孔、２７：「く」字状部、２８：係止溝、２９：脚部
【図１】
2017053094.tif 000003
【図２】
2017053094.tif 000004
【図３】
2017053094.tif 000005
【図４】
2017053094.tif 000006